(57)【特許請求の範囲】
【請求項１】
一端側に底部、他端側に開口部が形成された筒状のケース部材と、
前記ケース部材の前記開口部において、シャフトにより前記ケース部材に対して相対回転可能に軸支されるカム部材と、
前記ケース部材の内部で摺動可能に収容されるスライダと、
前記ケース部材の前記底部と前記スライダとの間に介挿されることにより、前記スライダを前記カム部材に向けて付勢するスプリングと、を備え、
前記カム部材に形成されたカム部と前記スライダに形成されたカムフォロワ部が互いの摺接面で摺接するヒンジにおいて、
前記カム部の摺接面にハートカム溝が形成され、
前記シャフトの軸方向に対して平行となる方向に移動可能に、前記カムフォロワ部から突出するピンが配置され、
前記ケース部材と前記カム部材が相対回転すると、前記カム部に対して前記カムフォロワ部が摺動し、前記ハートカム溝に沿って前記ピンが案内される、ことを特徴とする、ヒンジ。
【請求項２】
前記ハートカム溝は、
前記ヒンジが閉じる場合において、前記ケース部材と前記カム部材が相対回転したときに前記ピンが案内される経路である前記ピンの往路と、
前記ヒンジが開く場合において、前記ケース部材と前記カム部材が相対回転したときに前記ピンが案内される経路である前記ピンの復路と、
とを備え、
前記ピンの往路の末端部と前記ピンの復路の始端部とが連続し、
前記ピンの往路の中途部分に前記ピンの復路の中途部分がつながって、前記ピンの往路の始端部から中途部分までと前記ピンの復路の中途部分から末端部までとが同一の軌道に形成される、ことを特徴とする請求項１に記載のヒンジ。
【発明の詳細な説明】
【技術分野】
【０００１】
本発明は、二つの連結対象物を回動自在に連結するヒンジに関する。
【背景技術】
【０００２】
従来、二つの連結対象物を回動自在に連結するヒンジが知られている（例えば特許文献１参照）。かかるヒンジは、一方の連結対象物に固定されるウイングと、他方の連結対象物に固定されるケースと、ケースに収容されるスライダと、同じくケースに収容されてスライダをウイングに向けて付勢するスプリングと、を備えている。そして、ウイングに形成されたカム部にスライダに形成されたカムフォロワ部が当接している。
【０００３】
ところで、扉を支持するアームを備え、該アームのピンがカム溝に沿って移動するとしたヒンジが提案されている（例えば特許文献２参照）。また、扉とともに連動するスライダを備え、該スライダのカム溝に沿ってピンを案内するとしたヒンジも提案されている（例えば特許文献３参照）。これらのヒンジは、扉のプッシュオープン機能若しくはプッシュクローズ機能を実現したものである。しかし、このようなヒンジは、部品点数が多く構造が複雑になるため、重量が重くなるとともに価格が高くなるという問題があった。
【先行技術文献】
【特許文献】
【０００４】
【特許文献１】特開２０１５−１８３８４０号公報
【特許文献２】特開２００８−１４９８１６号公報
【特許文献３】特開平７−３０９１７３号公報
【発明の概要】
【発明が解決しようとする課題】
【０００５】
本願発明は、連結対象物の付勢とプッシュオープン機能若しくはプッシュクローズ機能を、部品点数が少なく簡素な構成で実現できるヒンジを提供することを目的としている。
【課題を解決するための手段】
【０００６】
本発明の解決しようとする課題は以上の如くであり、次にこの課題を解決するための手段を説明する。
【０００７】
第一の発明は、
一端側に底部、他端側に開口部が形成された筒状のケース部材と、
前記ケース部材の前記開口部において、シャフトにより前記ケース部材に対して相対回転可能に軸支されるカム部材と、
前記ケース部材の内部で摺動可能に収容されるスライダと、
前記ケース部材の前記底部と前記スライダとの間に介挿されることにより、前記スライダを前記カム部材に向けて付勢するスプリングと、を備え、
前記カム部材に形成されたカム部と前記スライダに形成されたカムフォロワ部が互いの摺接面で摺接するヒンジにおいて、
前記カム部の摺接面にハートカム溝が形成され、
前記シャフトの軸方向に対して平行となる方向に移動可能に、前記カムフォロワ部から突出するピンが配置され、
前記ケース部材と前記カム部材が相対回転すると、前記カム部に対して前記カムフォロワ部が摺動し、前記ハートカム溝に沿って前記ピンが案内される、としたものである。
【０００８】
第二の発明は、第一の発明に係るヒンジにおいて、
前記ハートカム溝は、
前記ヒンジが閉じる場合において、前記ケース部材と前記カム部材が相対回転したときに前記ピンが案内される経路である前記ピンの往路と、
前記ヒンジが開く場合において、前記ケース部材と前記カム部材が相対回転したときに前記ピンが案内される経路である前記ピンの復路と、
とを備え、
前記ピンの往路の末端部と前記ピンの復路の始端部とが連続し、
前記ピンの往路の中途部分に前記ピンの復路の中途部分がつながって、前記ピンの往路の始端部から中途部分までと前記ピンの復路の中途部分から末端部までとが同一の軌道に形成される、としたものである。
【発明の効果】
【０００９】
第一の発明に係るヒンジにおいては、カム部の摺接面にハートカム溝が形成されるとともに、カムフォロワ部の摺接面から突出するようにピンが配置されている。そして、ピンがシャフトの軸方向に対して平行となる方向に移動可能となっている。このため、カム部材に設けられたシャフトを中心にケース部材が回動すると、カム部に沿ってカムフォロワ部が摺動し、同時にカム溝に沿ってピンが案内される。かかるヒンジによれば、連結対象物の付勢とプッシュオープン機能若しくはプッシュクローズ機能を、部品点数が少なく簡素な構成で実現できる。
【００１０】
第二の発明に係るヒンジにおいては、ハートカム溝は、往路の中途部分までと復路の中途部分以降とが同一の軌道に形成される。かかるヒンジによれば、一方への回動動作の途中であっても、他方へ回動させる操作を行なうことができる。
【図面の簡単な説明】
【００１１】
【図１】有扉体を示す図。
【図２】ヒンジを示す図。
【図３】ヒンジの構造を示す図。
【図４】ヒンジの構造を示す図。
【図５】カム溝の形状を示す図。
【図６】扉を閉じる操作を示す図。
【図７】カム溝に沿ってピンが案内される状況を示す図。
【図８】扉を開ける操作を示す図。
【図９】カム溝に沿ってピンが案内される状況を示す図。
【図１０】カム溝の形状を示す図。
【発明を実施するための形態】
【００１２】
本願発明に係るヒンジ４は、以下に説明する有扉体１のほか、あらゆる有扉体にも適用できる。
【００１３】
まず、有扉体１について簡単に説明する。
【００１４】
図１は、有扉体１を示す図である。図中には、有扉体１の前後方向、左右方向及び上下方向を表す。また、図中の矢印Ｒは、有扉体１を構成する扉３の回動方向を表している。
【００１５】
有扉体１は、主に本体２と扉３で構成されている。本体２は、開口穴を囲うように形成された樹脂形成部品である。また、扉３は、開口穴を覆うように形成された樹脂形成部品である。本体２と扉３は、ヒンジ４によって回動自在に連結されている。
【００１６】
次に、ヒンジ４の構造について説明する。
【００１７】
図２は、ヒンジ４を示す図である。図３と図４は、ヒンジ４の構造を示す図である。そして、図５は、ハートカム溝５６の形状を示す図である。図中には、有扉体１の前後方向、左右方向及び上下方向を表す。また、図中の矢印Ｒは、有扉体１を構成する扉３の回動方向を表している。
【００１８】
ヒンジ４は、二つの連結対象物を回動自在に連結するものである。ヒンジ４は、カム部材５と、ケース部材６と、スライダ７と、スプリング８と、で構成されている。
【００１９】
カム部材５は、一方の連結対象物である本体２に固定される。カム部材５は、二つの角柱体５１・５２を上下に組み合わせたような形状の樹脂形成部品である。カム部材５は、その上体部５１の一方の側面から他方の側面まで軸穴５３が形成されている。また、上体部５１の先端部分には、滑らかな略円弧形状であるカム部５４が形成されている。なお、カム部材５は、下体部５２に設けられた掛止爪５５によって本体２に固定される。
【００２０】
ケース部材６は、他方の連結対象物である扉３に固定される。ケース部材６は、一端側に底部である蓋板６１を有し、他端側に開口部を有する略角筒形状に形成された樹脂形成部品である。ケース部材６は、カム部材５側へ側板部６２が延長されており、その延長部分に軸穴６３が形成されている。そして、ケース部材６の軸穴６３には、カム部材５の軸穴５３に嵌め込まれたシャフト９が挿通される。このため、ケース部材６は、カム部材５に対してシャフト９を中心に回動自在となっている（矢印Ｒ参照）。換言すれば、カム部材５は、ケース部材６の開口部において、シャフト９によりケース部材６に対して相対回転可能に軸支されている。なお、ケース部材６は、側板部６２に設けられた掛止爪６４によって扉３に固定される。
【００２１】
スライダ７は、ケース部材６の内部で摺動可能に収容される。スライダ７は、その中央部分に筒穴７１を有する略角柱形状に形成された樹脂形成部品である。スライダ７は、カム部材５側へ底板部７２の一部が延長されており、その上端面に沿って一方の側面から他方の側面に近接したところまでピン溝７３が形成されている。また、底板部７２の先端部分には、滑らかな円弧形状であるカムフォロワ部７４が形成されている。なお、スライダ７は、カム部材５側又は反カム部材５側へ摺動可能な状態でケース部材６に収容される。
【００２２】
スプリング８は、同じくケース部材６に収容される。スプリング８は、圧縮する方向に掛かる荷重に対して反発する螺旋形状に形成された金属形成部品である。スプリング８は、その一方がケース部材６の蓋板６１に接しており、その他方がスライダ７の筒穴７１に挿入された状態で支持されている。このため、スプリング８は、常にスライダ７を付勢するのである（矢印Ｓ参照）。換言すれば、スプリング８は、ケース部材６の底部とスライダ７との間に介挿されることにより、スライダ７をカム部材５に向けて付勢している。従って、カム部材５に形成されたカム部５４にスライダ７に形成されたカムフォロワ部７４が当接することとなる。なお、スプリング８の付勢力により、扉３には、常に開く方向への回動力（開く方向へ回動させようとするトルク）が掛かっている。
【００２３】
更に、ヒンジ４の詳細な構造について説明する。
【００２４】
上述したように、カム部材５は、二つの角柱体５１・５２を上下に組み合わせたような形状となっており、その上体部５１の先端部分にカム部５４が形成されている。なお、カム部５４の摺接面５４Ｆには、所定形状のハートカム溝５６が形成されている。ハートカム溝５６は、第一カム溝部５６１と、第二カム溝部５６２と、第三カム溝部５６３と、第四カム溝部５６４と、で構成されている。
【００２５】
第一カム溝部５６１は、連接位置Ｐａから終端位置Ｐｂまで連続的に形成されている。連接位置Ｐａは、カム部５４の摺接面５４Ｆにおける後端側中央に設けられており、終端位置Ｐｂは、カム部５４の摺接面５４Ｆにおける前端側左方に設けられている。そのため、第一カム溝部５６１は、カム部５４の摺接面５４Ｆにおける後端側中央から左前側へ向かい、そこから前方へ延びている。なお、終端位置Ｐｂは、第一カム溝部５６１の内周壁面の角部Ｅｂよりも右方よりとなっている。つまり、終端位置Ｐｂは、第一カム溝部５６１の内周壁面の角部Ｅｂを超え、角部Ｅｂから前後方向へ伸ばした仮想線Ｌｂを超えた位置に存在している。これは、終端位置Ｐｂまで移動したピン１０が、次に第二カム溝部５６２に沿って移動するように導くものであり、ピン１０が第一カム溝部５６１を逆方向に移動するのを防ぐためである。但し、第一カム溝部５６１の底面よりも第二カム溝部５６２の底面が深くなる段差を設けることで、ピン１０が第一カム溝部５６１を逆方向に移動するのを防ぐとしても良い。
【００２６】
第二カム溝部５６２は、終端位置Ｐｂから掛止位置Ｐｃまで連続的に形成されている。終端位置Ｐｂは、カム部５４の摺接面５４Ｆにおける前端側左方に設けられており、掛止位置Ｐｃは、カム部５４の摺接面５４Ｆにおける前端側中央やや後方に設けられている。そのため、第二カム溝部５６２は、カム部５４の摺接面５４Ｆにおける前端側左方から右後側へ延びている。なお、掛止位置Ｐｃは、第二カム溝部５６２の外周壁面の角部Ｅｃよりも右方よりとなっている。つまり、掛止位置Ｐｃは、第二カム溝部５６２の外周壁面の角部Ｅｃを超え、角部Ｅｃから前後方向へ伸ばした仮想線Ｌｃを超えた位置に存在している。これは、掛止位置Ｐｃまで移動したピン１０が、次に第三カム溝部５６３に沿って移動するように導くものであり、ピン１０が第二カム溝部５６２を逆方向に移動するのを防ぐためである。但し、第二カム溝部５６２の底面よりも第三カム溝部５６３の底面が深くなる段差を設けることで、ピン１０が第二カム溝部５６２を逆方向に移動するのを防ぐとしても良い。
【００２７】
第三カム溝部５６３は、掛止位置Ｐｃから始端位置Ｐｄまで連続的に形成されている。掛止位置Ｐｃは、カム部５４の摺接面５４Ｆにおける前端側中央やや後方に設けられており、始端位置Ｐｄは、カム部５４の摺接面５４Ｆにおける前端側右方に設けられている。そのため、第三カム溝部５６３は、カム部５４の摺接面５４Ｆにおける前端側中央やや後方から右前側へ延びている。なお、始端位置Ｐｄは、第三カム溝部５６３の内周壁面の角部Ｅｄよりも右方よりとなっている。つまり、始端位置Ｐｄは、第三カム溝部５６３の内周壁面の角部Ｅｄを超え、角部Ｅｄから前後方向へ伸ばした仮想線Ｌｄを超えた位置に存在している。これは、始端位置Ｐｄまで移動したピン１０が、次に第四カム溝部５６４に沿って移動するように導くものであり、ピン１０が第三カム溝部５６３を逆方向に移動するのを防ぐためである。但し、第三カム溝部５６３の底面よりも第四カム溝部５６４の底面が深くなる段差を設けることで、ピン１０が第三カム溝部５６３を逆方向に移動するのを防ぐとしても良い。
【００２８】
第四カム溝部５６４は、始端位置Ｐｄから連接位置Ｐａまで連続的に形成されている。始端位置Ｐｄは、カム部５４の摺接面５４Ｆにおける前端側右方に設けられており、連接位置Ｐａは、カム部５４の摺接面５４Ｆにおける後端側中央に設けられている。そのため、第四カム溝部５６４は、カム部５４の摺接面５４Ｆにおける前端側右方から後方へ延び、そこから左後側へ向かっている。なお、連接位置Ｐａは、第四カム溝部５６４の内周壁面の角部Ｅａよりも左方よりとなっている。つまり、連接位置Ｐａは、第四カム溝部５６４の内周壁面の角部Ｅａを超え、角部Ｅａから前後方向へ伸ばした仮想線Ｌａを超えた位置に存在している。これは、連接位置Ｐａまで移動したピン１０が、次に第一カム溝部５６１に沿って移動するように導くものであり、ピン１０が第四カム溝部５６４を逆方向に移動するのを防ぐためである。但し、第四カム溝部５６４の底面よりも第一カム溝部５６１の底面が深くなる段差を設けることで、ピン１０が第四カム溝部５６４を逆方向に移動するのを防ぐとしても良い。
【００２９】
加えて、上述したように、スライダ７は、カム部材５側へ底板部７２の一部が延長された形状となっており、その底板部７２の先端部分にカムフォロワ部７４が形成されている。なお、カムフォロワ部７４の摺接面７４Ｆから突出するようにピン１０が配置されている。ピン１０は、ブロック１１によって支持されており、このブロック１１がピン溝７３に嵌め込まれている。このため、ピン１０は、シャフト９に対して平行となる方向に移動可能となっている（矢印Ｍ参照）。
【００３０】
以下に、扉３を閉じる操作又は開ける操作をした場合について説明する。
【００３１】
まず、扉３を閉じる操作をした場合について説明する。ここでは、扉３が開いた状態であることを前提に説明する。
【００３２】
図６は、扉３を閉じる操作を示す図である。図７は、ハートカム溝５６に沿ってピン１０が案内される状況を示す図である。図中には、有扉体１の前後方向、左右方向及び上下方向を表す。また、図中の矢印Ｒは、有扉体１を構成する扉３の回動方向を表している。
【００３３】
扉３を閉じる場合、ユーザーは、扉３を伏せていき、節度感があるまで押し下げる必要がある（図６の（Ａ）参照）。
【００３４】
上述したように、第一カム溝部５６１は、カム部５４の摺接面５４Ｆにおける後端側中央から左前側へ向かい、そこから前方へ延びている。また、連接位置Ｐａは、第四カム溝部５６４の内周壁面の角部Ｅａよりも左方よりとなっており、終端位置Ｐｂは、第一カム溝部５６１の内周壁面の角部Ｅｂよりも右方よりとなっている。そのため、ユーザーが手で扉３を伏せていき、更に押し下げると（図６の（Ａ）参照）、ピン１０が連接位置Ｐａから第一カム溝部５６１に沿って移動し、最終的に角部Ｅｂを回り込んで終端位置Ｐｂへ案内される。従って、かかるヒンジ４を備えた有扉体１は、扉３を閉じる際に節度感が生じるのである。なお、扉３を伏せていくことは、カム部材５に対してケース部材６を回動させていくことと同義である。このとき、カム部５４に沿ってカムフォロワ部７４が摺動しているのである（矢印Ｒ参照）。
【００３５】
更に、上述したように、第二カム溝部５６２は、カム部５４の摺接面５４Ｆにおける前端側左方から右後側へ延びている。また、終端位置Ｐｂは、第一カム溝部５６１の内周壁面の角部Ｅｂよりも右方よりとなっており、掛止位置Ｐｃは、第二カム溝部５６２の外周壁面の角部Ｅｃよりも右方よりとなっている。そのため、ユーザーが扉３から手を離すと（図６の（Ｂ）参照）、スプリング８の付勢力によって扉３が開こうとするので、ピン１０が終端位置Ｐｂから第二カム溝部５６２に沿って移動し、最終的に角部Ｅｃを回り込んで掛止位置Ｐｃへ案内される。従って、かかるヒンジ４を備えた有扉体１は、ハートカム溝５６の屈折部分（掛止位置Ｐｃ）にピン１０が引っ掛かるので、扉３を閉じた状態で保持できるのである。
【００３６】
次に、扉３を開ける操作をした場合について説明する。ここでは、扉３が閉じた状態であることを前提に説明する。
【００３７】
図８は、扉３を開ける操作を示す図である。図９は、ハートカム溝５６に沿ってピン１０が案内される状況を示す図である。図中には、有扉体１の前後方向、左右方向及び上下方向を表す。また、図中の矢印Ｒは、有扉体１を構成する扉３の回動方向を表している。
【００３８】
扉３を開ける場合、ユーザーは、扉３を節度感があるまで押し下げる必要がある（図８の（Ａ）参照）。本ヒンジ４においては、扉３を押し下げることで、扉３が自動的に開くこととなる（プッシュオープン機能という）。
【００３９】
上述したように、第三カム溝部５６３は、カム部５４の摺接面５４Ｆにおける前端側中央やや後方から右前側へ延びている。また、掛止位置Ｐｃは、第二カム溝部５６２の外周壁面の角部Ｅｃよりも右方よりとなっており、始端位置Ｐｄは、第三カム溝部５６３の内周壁面の角部Ｅｄよりも右方よりとなっている。そのため、ユーザーが手で扉３を押し下げると（図８の（Ａ）参照）、ピン１０が掛止位置Ｐｃから第三カム溝部５６３に沿って移動し、最終的に角部Ｅｄを回り込んで始端位置Ｐｄへ案内される。従って、かかるヒンジ４を備えた有扉体１は、扉３を開ける際に節度感が生じるのである。
【００４０】
更に、上述したように、第四カム溝部５６４は、カム部５４の摺接面５４Ｆにおける前端側右方から後方へ延び、そこから左後側へ向かっている。また、始端位置Ｐｄは、第三カム溝部５６３の内周壁面の角部Ｅｄよりも右方よりとなっており、連接位置Ｐａは、第四カム溝部５６４の内周壁面の角部Ｅａよりも左方よりとなっている。そのため、ユーザーが扉３から手を離すと（図８の（Ｂ）参照）、スプリング８の付勢力によって扉３が開こうとするので、ピン１０が始端位置Ｐｄから第四カム溝部５６４に沿って移動し、最終的に角部Ｅａを回り込んで連接位置Ｐａへ案内される。従って、かかるヒンジ４を備えた有扉体１は、ハートカム溝５６の屈折部分（連接位置Ｐａ）にピン１０が引っ掛かるので、扉３を開いた状態で保持できるのである。なお、扉３が開いていくことは、カム部材５に対してケース部材６が回動していくことと同義である。このとき、カム部５４に沿ってカムフォロワ部７４が摺動しているのである（矢印Ｒ参照）。
【００４１】
以上のように、本願発明に係るヒンジ４においては、カム部５４の摺接面５４Ｆにハートカム溝５６が形成されるとともに、カムフォロワ部７４の摺接面７４Ｆから突出するようにピン１０が配置されている。そして、ピン１０がシャフト９の軸方向に対して平行となる方向に移動可能となっている。このため、カム部材５に設けられたシャフト９を中心にケース部材６が回動すると、カム部５４に沿ってカムフォロワ部７４が摺動し、同時にハートカム溝５６に沿ってピン１０が案内される。かかるヒンジ４によれば、扉３の付勢とプッシュオープン機能若しくはプッシュクローズ機能を、部品点数が少なく簡素な構成で実現できる。
【００４２】
ここで、ピン１０の往路を第一カム溝部５６１と第二カム溝部５６２とし、復路を第三カム溝部５６３と第四カム溝部５６４としているが、ピン１０の往路を第三カム溝部５６３と第四カム溝部５６４とし、復路を第一カム溝部５６１と第二カム溝部５６２と考えることもできる。また、ハートカム溝５６を前後逆方向に形成すれば、プッシュクローズ機能を実現できる。
【００４３】
次に、ヒンジ４に適用し得るハートカム溝６６について説明する。
【００４４】
図１０は、ハートカム溝６６の形状を示す図である。図中には、有扉体１の前後方向、左右方向及び上下方向を表す。
【００４５】
本ヒンジ４については、ハートカム溝６６の形状のみが異なっている。具体的には、往路（第一カム溝部６６１・第二カム溝部６６２）の中途部分に復路（第三カム溝部６６３・第四カム溝部６６４）がつながっている。こうすることで、扉３が開く方向へピン１０を案内することを可能としつつ（矢印Ｄｏ）、扉３が閉じる方向へピン１０を案内することも可能となる（矢印Ｄｃ）。
【００４６】
このように、本願発明に係るヒンジ４においては、ハートカム溝６６は、往路（第一カム溝部６６１・第二カム溝部６６２）の中途部分までと復路（第三カム溝部６６３・第四カム溝部６６４）の中途部分以降とが同一の軌道（※印部参照）に形成される。かかるヒンジ４によれば、一方への回動動作の途中であっても、他方へ回動させる操作を行なうことができる（本ヒンジ４においては、開く動作の途中であっても、閉じる操作を行なうことができる）。
【００４７】
ここで、ピン１０の往路を第一カム溝部６６１と第二カム溝部６６２とし、復路を第三カム溝部６６３と第四カム溝部６６４としているが、ピン１０の往路を第三カム溝部６６３と第四カム溝部６６４とし、復路を第一カム溝部６６１と第二カム溝部６６２と考えることもできる。すると、復路（第一カム溝部６６１・第二カム溝部６６２）の中途部分に往路（第三カム溝部６６３・第四カム溝部６６４）がつながっているともいえる。また、ハートカム溝６６を前後逆方向に形成すれば、閉じる動作の途中であっても、開く操作を行なうことができる。
【符号の説明】
【００４８】
１        有扉体
２        本体
３        扉
４        ヒンジ
５        カム部材
６        ケース部材
７        スライダ
８        スプリング
９        シャフト
１０      ピン
５４      カム部
５４Ｆ    摺接面
５６      ハートカム溝
７４      カムフォロワ部
７４Ｆ    摺接面
５６１    第一カム溝部
５６２    第二カム溝部
５６３    第三カム溝部
５６４    第四カム溝部
【図１】
0006764699.tif 000002
【図２】
0006764699.tif 000003
【図３】
0006764699.tif 000004
【図４】
0006764699.tif 000005
【図５】
0006764699.tif 000006
【図６】
0006764699.tif 000007
【図７】
0006764699.tif 000008
【図８】
0006764699.tif 000009
【図９】
0006764699.tif 000010
【図１０】
0006764699.tif 000011